(57)【要約】【課題】２つの異なる厚さの光ディスクの再生に適した２層型光ディスク及び光ディスク装置の提供。【解決手段】２層型光ディスクの一方の記録面のリードインを内周側、リードアウトを外周側に設け、他方の記録面のリードインを外周側、リードアウトを内周側に設ける。これにより、光ピックアップが閉じた軌跡を移動することで２層とも再生可能となる。また、光ピックアップに用いる対物レンズからみたときの最適な光ディスク基板厚さを、ａ＜ｔ＜（ａ＋ｂ）ここで、ａ：第１の基板の厚さ、ｂ：第２の基板の厚さ、ｔ：対物レンズからみたときの最適基板厚さ、と定めた。これにより、異なる基板厚さの基板から構成する２層型光ディスクに対応することができる。【選択図】  図１
2005093065.tif 000002
【特許請求の範囲】
【請求項１】
第１の基板の第１の面に第１の記録面が形成され、第１の記録面に第１の基板より薄い第２の基板の一方の面が密着し、第２の基板の他方の面に記録面が形成された光ディスクにおいて、第１の記録面のリードインが最内周に、リードアウトが最外周にあり、第２の記録面のリードインが最外周に、リードアウトが最内周にあることを特徴とする２層型光ディスク。
【請求項２】
第１の基板の第１の面に第１の記録面が形成され、第１の記録面に第１の基板より薄い第２の基板の一方の面が密着し、第２の基板の他方の面に記録面が形成された光ディスクにおいて、第１の記録面のリードインが最外周に、リードアウトが最内周にあり、第２の記録面のリードインが最内周に、リードアウトが最外周にあることを特徴とする２層型光ディスク。
【請求項３】
請求項１及び２記載の光ディスクにおいて、第１の記録面と第２の記録面とに記録されている位相ピット列によって表現されるスパイラル形状が第１の記録面と第２の記録面で逆方向であることを特徴とする２層型光ディスク。
【請求項４】
請求項１及び２記載の光ディスクにおいて、第１の記録面と第２の記録面とに記録されている位相ピット列のスパイラル形状が第１の記録面と第２の記録面で同方向である光ディスクを再生する光ディスク装置において、１周分の信号を再生した後、内周側もしくは外周側へ少なくとも２回のトラックジャンプを伴うことを特徴とする光ディスク装置。
【請求項５】
第１の基板の第１の面に第１の記録面が形成され、第１の記録面に第１の基板より薄い第２の基板の一方の面が密着し、第２の基板の他方の面に記録面が形成された光ディスクの再生装置であって、第１の基板の第２の面からレーザ光を入射させて第１及び第２の記録面に記録された信号を選択的に再生するためのレーザ光源とレーザ光源の出射する光束を集光する対物レンズと、光ディスクの記録面からの反射光を検出する検出手段を備え、最初に集光した光の焦点を第２の記録面に合わせ、第２の記録面から再生することを特徴とする光ディスク装置。
【請求項６】
第１の基板の第１の面に第１の記録面が形成され、第１の記録面に第１の基板より薄い第２の基板の一方の面が密着し、第２の基板の他方の面に記録面が形成された光ディスクの再生装置であって、第１の基板の第２の面からレーザ光を入射させて第１及び第２の記録面に記録された信号を選択的に再生するためのレーザ光源とレーザ光源の出射する光束を集光する対物レンズと、光ディスクの記録面からの反射光を検出する検出手段を備え、上記対物レンズの想定する光ディスク基板の厚さ（対物レンズからみたときの最適基板厚さ）が下記の式を満たすことを特徴とする光ディスク装置
ａ＜ｔ＜（ａ＋ｂ）
ここで、ａ：第１の基板の厚さ
ｂ：第２の基板の厚さ
ｔ：対物レンズからみたときの最適基板厚さ
【発明の詳細な説明】
【技術分野】
【０００１】
本発明は、音楽用、計算機のデータ用等に広く実用化されている光ディスクの内、いわゆるコンパクトディスク（以下ＣＤと略す）の記録密度より高密度に信号が記録された高密度光ディスクに関わり、特に一枚の光ディスク基板中に２つの記録面を有する二層型光ディスクに関する
【背景技術】
【０００２】
ＣＤに代表される光ディスクやＣＤ再生装置等の光ディスク装置は、レーザダイオードから出射されたレーザ光をその回折限界まで絞り、絞られた光スポットを光ディスク上の位相ピット列に照射し、反射光量変化を検出することにより、光ディスクに記録された信号を再生するものである。このＣＤは直径が１２０ｍｍで透明基板材質は一般にポリカーボネイト樹脂であり、その厚さは１．２ｍｍである。ＣＤを再生する光学式再生装置は光源として７７０〜７８０ｎｍの近赤外光のレーザダイオードを用い、レーザ光を光ディスク上に集光する対物レンズの開口数（ＮＡ）は一般に０．４５程度である。
【０００３】
一方、近年のレーザダイオードの進歩はめざましく、波長６３０〜６９０ｎｍの赤色光のレーザダイオードが実用化され、開口数０．５５〜０．６の対物レンズとの組み合わせにより、現在のＣＤに対して３〜４倍の記録密度を有する高密度光ディスクが提案されている（例えば、非特許文献１参照）。
【０００４】
さらに、記録容量を２倍にするために、ＣＤの半分の厚さの光ディスクの記録面同士を貼り合わせた貼り合わせ型光ディスクや、一枚の光ディスク中に記録面を２つ設けた２層型光ディスクなども提案されている。
【０００５】
【非特許文献１】1993年電子情報通信学会秋季大会、講演番号Ｃ−３６４「赤色レーザピックアップを用いた高密度ＣＤ−ＲＯＭの検討」
【発明の開示】
【発明が解決しようとする課題】
【０００６】
２層型光ディスクの場合、異なる２つの記録面に記録している信号を再生するために、各々の記録面にリードイン及びリードアウトを設けなければならない。ＣＤと同様に最内周にリードイン、最外周にリードアウトを設けると、光ディスク装置にとっては異なる２枚の光ディスクを再生することと等価となる。従って、一方の記録面の再生が終了した後、一度トラッキング及びフォーカス制御を外して最内周に光ピックアップを移動し、再度フォーカス及びトラッキング制御を行い、スピンドルモータの回転数をＰＬＬ制御しなければならない。従って、再生面の変更に時間がかかるという問題が生じる。
【０００７】
さらに、光ディスク装置から出射された集束光が、光ディスク基板を透過すると、球面収差が発生する。これを防ぐために通常、光ディスク基板で生じる球面収差を打ち消すだけの球面収差を光ピックアップであらかじめ発生させておく。この球面収差の大きさは、光ディスク基板厚さに関係する。よって、光ディスク装置の光ピックアップを設計する段階で、その最適基板厚さを想定しなければならない。しかし、２層型光ディスクの場合、異なる基板厚さの光ディスクが２枚あることと等価であり、これを想定した光ピックアップを用いなければならないという課題もある。
【課題を解決するための手段】
【０００８】
２層型光ディスクの一方の記録面に対しては、ＣＤと同様にリードインを最内周に、リードアウトを最外周に設け、もう一方の記録面に対しては、ＣＤとは逆にリードインを最外周に、リードアウトを最内周に設けることによって、光ピックアップの移動する軌跡が連続するようにした。
【０００９】
また、光ピックアップを設計する際に定める対物レンズからみたときの最適基板厚さを、
ａ＜ｔ＜（ａ＋ｂ）
ここで、ａ：第１の基板の厚さ
ｂ：第２の基板の厚さ
ｔ：対物レンズからみたときの最適基板厚さ
と定めた。
【発明の効果】
【００１０】
２層型光ディスクの一方の記録面に対して、リードインを最内周に、リードアウトを最外周に設け、他方の記録面に対しては、その逆にリードイン及びリードアウトを設けることにより、一方の記録面の再生終了後、光ピックアップがほとんど移動することなく、もう一方の記録面でフォーカス及びトラッキング制御の動作が可能となる。また、記録面が変わっても線速度の変化はほとんど無いため、スピンドルモータの回転数は、記録面変更前の状態を維持していれば良い。
【００１１】
光ピックアップ中の対物レンズからみたときの最適基板厚さを、２つの異なる厚さの中間付近に定めることで、２つの記録面に対して十分な性能を示す光ピックアップが構成できる。また、薄い方の基板厚さをＣＤと同程度に定めるならば、２層型光ディスク用の光ピックアップによって、最も広く用いられているＣＤも再生可能となる。
【００１２】
より具体的には、本発明の２層型光ディスクは、一方の記録面の最内周にリードイン、最外周にリーヂアウトを設け、もう一方の記録面の最外周にリードイン、最内周にリードアウト設けることによって、光ディスク装置中の光ピックアップが記録面を変更する際もほとんど動かず、スピンドルモータの回転数は記録面変更前の状態を保つことができる。
【００１３】
また、光ディスク装置に用いられる光ピックアップの最適基板厚さに許容範囲を持たせることで、異なる２つの厚さの基板を再生可能となる。更に、ＣＤの基板厚さがこの許容範囲内であれば２層型光ディスク用の光ピックアップでＣＤをも再生できる。
【発明を実施するための最良の形態】
【００１４】
以下に本発明による２層型光ディスク及び光ディスク装置の詳細について説明する。
【００１５】
図１は、本発明の第１の実施例を示す２層型光ディスクである。図１の（ａ）は、光ディスクの右側半分の断面図であり、図１（ｂ）は、その部分拡大図である。光ディスク１は、基板２、基板３及び保護膜で形成されている。ただし、ここでは保護膜は省略している。基板２の厚さをａ、基板３の厚さをｂとする。図１に示す光ディスクは２つの記録面Ａ及びＢが設けられ、各々記録面に対してリードイン１０１及び１１１とリードアウト１０２及び１１２が設けられている。通常、ＣＤ等の光ディスクは、内周から外周に向けてデータがスパイラル状に記録され、内周側からリードイン、データ（音、映像、etc）、リードアウトを構成している。それに対して、本発明の光ディスクは、２つの異なる記録面を連続的に再生する際、光ピックアップが閉じた軌跡を移動ように、記録面Ｂのリードインを外周側に、リードアウトを内周側に設けている。ここで、光は基板２側から入射する。
【００１６】
図２は、記録面Ｂ側から見た位相ピット列の形状を示し、図２（ａ）は記録面Ａ、図２（ｂ）は記録面Ｂを示している。記録面Ａの位相ピット列２１は、ＣＤと同じ内周側から時計回りのスパイラル状に形成されているのに対して、記録面Ｂの位相ピット列２２は、記録面Ａとは逆に、外側から時計回りのスパイラル状に形成されている。位相ピット列を図２のように形成することで、スピンドルモータの回転方向を変えずに、記録面Ａの内周側から外周側、記録面Ｂの外周側から内周側への一連の再生が可能となる。
【００１７】
図３は、本発明の２層型光ディスクを再生している様子を示す。図３で示す２層型光ディスクは、記録面Ａの内周側及び記録面Ｂの外周側にリードイン１０１及び１１１、記録面Ａの外周側及び記録面Ｂの内周側にリードイン１０２及び１１２が設けられている。光ディスク１が光ディスク装置に挿入され、信号再生を開始すると、光ピックアップ３１は軌跡Ｔ１を描くように移動する。まず記録面Ａ上に光ピックアップ３１から出射したレーザ光が集光するように、フォーカス制御が行われ、トラッキング制御及びリードイン１０１の読み込みと進行する。光ピックアップ３１は記録面Ａのデータ領域１２１を再生し、リードアウト１０２へと進む。記録面Ａの再生終了後、トラッキング及びフォーカスの制御を外し、記録面Ｂ上に光ピックアップ３１のフォーカス制御を行う。この時、制御回路は最初の制御点を通過し、二度目の制御点において制御をかける機構を有する必要がある。
【００１８】
図４は、本発明の光ディスク装置における制御系のブロック図である。図４（ａ）にブロック図、（ｂ）にジャンプパルス波形を示す。図４において、回路等を構成しているものには、その名称が付けられており、番号６０から７８は、信号線を示す。全体的な構成は一般的に用いられている光ディスク装置に準ずるものである。以下に本発明における制御系にする詳細を記す。
【００１９】
再生中に再生する記録面を記録面Ａから記録面Ｂに変更する場合、ジャンプパルス発生回路５４から駆動回路５５に図４（ｂ）の上に示すような上方へアクチュエータを動かす＋パルスとブレーキをかけるための−パルスを印加する。記録面Ｂ付近にてフォーカス誤差信号のＳカーブにおけるゼロクロス点をゼロクロス検出回路４９によって検出し、フォーカス制御のループを閉じる。一方、記録面Ｂから記録面Ａへの変更の場合、図４（ｂ）下に示すジャンプパルスが駆動回路５５に印加される。
【００２０】
また、記録面を変更する際、フォーカス及びトラッキング制御を外している間に、モータ４１の回転数のＰＬＬ制御も外れてしまう可能性がある。これを防ぐために、ホールド回路４６を設けた。ホールド回路４６で、記録面を変更する前の回転数を保持し、光ピックアップ３１が記録面Ｂ上に移動し、フォーカス及びトラッキング制御をおこなうまでの間、そのホールド回路４６に保持した回転数でモータ４１を制御する。
【００２１】
さらに、２層型光ディスクと既存のＣＤとを光ディスク装置側で判別できる必要がある。２層型光ディスクの場合、記録面Ａを通過して記録面Ｂを再生しなければならないため、光ピックアップ３１に戻ってくる総光量が、ＣＤに対して半分以下になる。従って、ＣＤと２層型光ディスクの各々に対してしきい値を設け、総光量検出回路５２で検出した総光量を比較器５３において各々のディスクに対して定めたしきい値と比較することで、どちらの光ディスクが挿入されているかを判別することにした。
【００２２】
また、光ディスクでは透明な基板を通してレーザ光を集光し、光ディスクの信号面上の光スポットで記録ピットを読みとっている。しかし集束光が基板を通過するときに球面収差が発生する（例えば、W.J.Smith : Modern Optical Engineering , McGraw-Hill Book Company , New York , 1966 , Chap.4.8 ）。そこで、あらかじめレーザ光を集光する対物レンズに、基板で発生する球面収差とは逆の球面収差を与えておき、レーザ光束が基板を通過した時に球面収差が互いに打ち消すようにしている。このため、光ディスクの基板は対物レンズの一部と見なすことができる。
【００２３】
一般に光ディスク基板は、ポリカーボネイト樹脂の射出成形により製作するために厚さの誤差は避けられない。基板の厚さが、対物レンズが想定している基板厚さ（対物レンズからみたときの最適厚さ）からずれると、上記理由より球面収差が発生する。発生する球面収差のうちでそのほとんどの成分を占める３次球面収差の２乗平均値（Ｗ）は、
【００２４】
【数１】
2005093065.tif 000003
【００２５】
Δｔ：ディスク基板の厚さ誤差
ｎ：ディスク基板の屈折率
ＮＡ：対物レンズの開口数
λ：レーザ光の波長
である。
【００２６】
ここで、ディスク基板であるポリカーボネイト樹脂の屈折率ｎを１．５８、対物レンズの開口数ＮＡを０．５２、レーザ光の波長λを０．６３５μｍとしたときのディスク基板の厚さ誤差に対する光スポットに発生する３次球面収差の関係を図５に示す。一般に正確な再生信号を得るためには球面収差は０．０３λｒｍｓ以下が望ましく、上記した条件では図５よりディスク基板の厚さ誤差は７０μｍ以下が望ましい。
【００２７】
図１に示した２層型光ディスクの基板２の厚さａの中心値をＣＤと同じ１．２ｍｍ、基板２の厚さ誤差を±３０μｍ、記録面Ａと記録面Ｂの間隔ｂ（基板３の厚さにほぼ等しい）を４０μｍとする。ここで、対物レンズの想定するディスク基板の厚さ（対物レンズからみたときの最適基板厚さ）をａ（＝１．２ｍｍ）とすると記録面Ｂを再生するときは対物レンズから見た基板の厚さ誤差が最大７０μｍとなる。また、上記した対物レンズからみたときの最適基板厚さをａ＋ｂ（＝１．２４ｍｍ）とすると記録面Ａを再生するときの対物レンズから見た基板の厚さ誤差は同じく最大７０μｍとなり、ともに３次球面収差は許容値内となる。以上の説明より、対物レンズの最適基板厚さが下記の式を満足する範囲であれば３次球面収差は許容値内となる。
ａ＜対物レンズからみたときの最適基板厚さ＜（ａ＋ｂ） …（２）
また、記録面Ａと記録面Ｂにおける３次球面収差の発生量をほぼ等しくするには、
対物レンズからみたときの最適基板厚さ ≒ ａ＋ｂ／２ …（３）
とすれば良い。
【００２８】
更に、基板２の厚さ誤差が±４０μｍ、記録面Ａと記録面Ｂとの間隔ｂが４０μｍの場合は、
（ａ＋ｂ／４）＜対物レンズからみたときの最適基板厚さ＜（ａ＋３ｂ／４）  …（４）
とすれば良い。以上、基板２の厚さ誤差、基板３の厚さ、３次球面収差の許容値により、対物レンズからみたときの最適基板厚ｔの範囲は異なるものの、何れの場合においても、その範囲は上記の式（２）の範囲にある。
【００２９】
尚、実際の対物レンズの最適基板厚さを知るには、レーザ干渉計（例えばトワイマン・グリーン干渉計）により対物レンズの球面収差を測定すれば良い。この時、対物レンズにより集束される光束中に厚さの異なる平行平板を挿入し、球面収差が最小となる平行平板の厚さが、その対物レンズからみたときの最適基板厚さである。
【００３０】
次に、本発明の光ディスク装置が広く普及しているコンパクトディスク（以下ＣＤと略す）も再生する場合の２層型光ディスクの各基板の厚さについて説明する。ＣＤは単層の光ディスクであり、ディスク基板の厚さの中心値は１．２ｍｍである。このため、対物レンズの最適基板厚さは、一般に１．２ｍｍとしている。そこで、図１に示す２層型光ディスクの基板２の厚さａの中心値と基板３の厚さｂとは、
ａ＋ｂ／２≒１．２ｍｍ
となるようにすれば良い。ｂ＝４０μｍの場合は、ａ＝１．１８ｍｍである。
【００３１】
図６は、本発明の第２の実施例の２層型光ディスクを再生している様子を示す。図６で示す２層型光ディスクは、記録面Ａの外周側及び記録面Ｂの内周側にリードイン１０１及び１１１、記録面Ａの内周側及び記録面Ｂの外周側にリードアウト１０２及び１１２が設けられている。図６に示す本発明の第２の実施例の２層型光ディスク上に記録されている位相ピット列は、図２で示した形状と逆になる。つまり、記録面Ｂが図２（ａ）、記録面Ａが図２（ｂ）と同様となり、記録面Ｂ→Ａの順に再生する仕様である。よって、光ディスク装置の光ピックアップ３１はＴ２の軌跡を描くように移動する。このような構成にすると、記録面Ｂから記録面Ａへ光ピックアップ３１は下方に移動するので、フォーカス制御の制御点をカウントせずに、次に現れる制御点でフォーカス制御を開始すれば良い。
【００３２】
図７は、本発明の第３の実施例を説明する図である。図７は第２の記録面上の位相ピット列の形状のみを示す。ここで、第１の記録面は図２（ａ）と同様とし、また、各記録面のリードイン及びリードアウトは、図３に従うとする。つまり、第３の実施例は、一方の記録面の最内周と他方の記録面の最外周にリードインがあり、一方の記録面の最外周と他方の記録面の最内周にリードインが設けられているが、位相ピット列の形成するスパイラル形状が両記録面共同じ方向であることが特徴である。
【００３３】
上記実施例における記録面２では、まずＳ２からＳ１まで一周分の信号を再生する。その後、トラックジャンプを内周側へ２回だけ行い、光ピックアップをＳ４まで移動し、Ｓ３まで一周分の信号を再生する。同様な動作を一周再生毎に繰り返す。つまり、広義的にみれば最外周から内周へ向けて再生するが、一周毎に内周側へのトラックジャンプを伴いながら、記録面１と同様に外周側へ再生するということである。
【図面の簡単な説明】
【００３４】
【図１】本発明の第１の実施例を示す２層型光ディスクである。
【図２】光ディスク上に記録している位相ピット列の形状を示す図である、
【図３】２層型光ディスクを再生している様子を示す図である。
【図４】光ディスク装置における制御系のブロック図である。
【図５】ディスク基板厚さと３次球面収差の関係を示す図である。
【図６】本発明の第２の実施例を示す２層型光ディスクである。
【図７】本発明の第３の実施例を説明する図である。
【符号の説明】
【００３５】
１…光ディスク、１０１、１１１…リードイン、１０２、１１２…リードアウト、
１２１、１２２…データ領域、３１…光ピックアップ、４１…モータ、
５０…フォーカス誤差信号検出回路、５２…総光量検出回路、４８…システムコントロール
【図１】
2005093065.tif 000004
【図２】
2005093065.tif 000005
【図３】
2005093065.tif 000006
【図４】
2005093065.tif 000007
【図５】
2005093065.tif 000008
【図６】
2005093065.tif 000009
【図７】
2005093065.tif 000010
【手続補正書】
【提出日】平成16年11月8日(2004.11.8)
【手続補正２】
【補正対象書類名】特許請求の範囲
【補正対象項目名】全文
【補正方法】変更
【補正の内容】
【特許請求の範囲】
【請求項１】
レーザ光入射面からの距離aの第1の記録面と、レーザ光入射面からの距離(a+b)の第2の記録面とを含む2層型光ディスクにレーザ光を照射して信号再生する光ディスク再生装置に使用される対物レンズにおいて、
該レーザ光を集光し、該対物レンズから出射された集束光が式  a < t < (a+b) を満たす厚さt の光ディスクを透過したときの球面収差が最小となることを特徴とする対物レンズ。
【請求項２】
レーザ光入射面からの距離aの第1の記録面と、レーザ光入射面からの距離(a+b)の第2の記録面とを含む2層型光ディスクにレーザ光を照射して信号再生する光ディスク再生装置に使用される対物レンズにおいて、
該レーザ光を集光し、該対物レンズから出射された集束光が基板厚さａと基板厚さ (a+b) の間の厚さｔを透過したときの球面収差が最小となることを特徴とする対物レンズ。
【請求項３】
前記第1の記録面と第2の記録面との間に配設される第2の基板の厚さ誤差が７０μｍ以下とされていることを特徴とする請求項１記載の対物レンズ。